(57)【特許請求の範囲】
【請求項１】
キーブレード部の一端にキーヘッド部を固定したメカニカルキーと、
係止部においてメカニカルキーを係止して収納するキーケースとを有し、
前記係止部は、キーケース側に設けられる操作ボタンに形成され、該操作ボタンによりキーヘッド部に形成された被係止部に係止する上部ストローク終端位置から前記被係止部に対する係止が解除される下部ストローク終端位置まで移動して係止解除操作が可能で、該下部ストローク終端位置においてメカニカルキーのキーケースからの抜去を可能にするとともに、圧縮コイルバネにより前記上部ストローク終端位置側に付勢され、
かつ、前記キーケースには、キーヘッド部が嵌合可能な幅でキー収納方向に延びるキー嵌合切欠が形成されるとともに、
前記操作ボタンは、キーケースへのメカニカルキーの収納状態においてキーヘッド部が嵌合される前記キー嵌合切欠の奥行き方向終端壁に沿って、キーヘッド部との突き当て境界に配置される解錠キー装置。
【請求項２】
前記キーケース内に錠制御装置との電子認証用交信手段を含む電子回路が収容される請求項１記載の解錠キー装置。
【請求項３】
前記操作ボタンが前記電子回路の制御ボタンの配置面と同一面に配置される請求項２記載の解錠キー装置。
【請求項４】
前記操作ボタンが前記電子回路の制御ボタンに隣接して配置される請求項３記載の解錠キー装置。
【請求項５】
前記操作ボタンは、キーケースのキーヘッド部付き当て縁に露出する操作部と、
操作部に一体形成され、キーケースに凹設されるボタン装着凹部に移動自在に嵌合される取付部と、
係止部とを有し、
キーケース側に形成されたストローク規制部によりボタン装着凹部からの脱離側ストロークが規制されてキーケースに保持される請求項１、２、３または４記載の解錠キー装置。
【発明の詳細な説明】
【技術分野】
【０００１】
本発明は、解錠キー装置に関するものである。
【背景技術】
【０００２】
メカニカルキーをキーケースに収納した解錠キー装置としては、特許文献１の図７に記載のものが知られている。この従来例において、メカニカルキーは機械的解錠コードが形成されたキーブレードの一端に合成樹脂製のキーヘッド部を固定して形成される。
【０００３】
キーケースにはメカニカルキーのキーブレード部と、キーヘッド部基端の収容スペースが設けられており、収納位置に収納されたメカニカルキーは、キーケース側に形成される突部をキーヘッド部の凹部に弾発的に係止させて抜け止めされる。
【特許文献１】特開２００５-２９０９０５号公報
【発明の開示】
【発明が解決しようとする課題】
【０００４】
しかし、上述した従来例において、メカニカルキーを抜去するには、凹部との係止が解除されるに十分な弾性変形が突部に発生するまでキーヘッド部を引き抜く必要があるために、大きな操作力を必要とし、使い勝手が悪いという欠点がある。
【０００５】
本発明は、以上の欠点を解消すべくなされたものであって、収容されたメカニカルキーの抜去、およびメカニカルキーのキーケースへの収納操作に優れた解錠キー装置の提供を目的とする。
【課題を解決するための手段】
【０００６】
本発明によれば上記目的は、
キーブレード部１の一端にキーヘッド部２を固定したメカニカルキー３と、
係止部５においてメカニカルキー３を係止して収納するキーケース６とを有し、
前記係止部５は、キーケース６側に設けられる操作ボタン４に形成され、該操作ボタン４によりキーヘッド部２に形成された被係止部１４に係止する上部ストローク終端位置から前記被係止部１４に対する係止が解除される下部ストローク終端位置まで移動して係止解除操作が可能で、該下部ストローク終端位置においてメカニカルキー３のキーケース６からの抜去を可能にするとともに、圧縮コイルバネ２１により前記上部ストローク終端位置側に付勢され、
かつ、前記キーケース６には、キーヘッド部１が嵌合可能な幅でキー収納方向に延びるキー嵌合切欠１２ｃ、１３ｃが形成されるとともに、
前記操作ボタン４は、キーケース６へのメカニカルキー３の収納状態においてキーヘッド部２が嵌合される前記キー嵌合切欠１２ｃ、１３ｃの奥行き方向終端壁に沿って、キーヘッド部２との突き当て境界に配置される解錠キー装置を提供することにより達成される。
【０００７】
解錠キー装置は、メカニカルキー３と、このメカニカルキー３を収納するキーケース６とから形成される。キーケース６は、メカニカルキー３の単なる収容体であっても、あるいは内部に錠制御装置に対する電子認証用交信手段を含む電子回路を組み込んだものであってもよく、後者の場合には、メカニカルキー３は、主として電子エントリーシステムにおける緊急時施解錠手段として利用される。
【０００８】
メカニカルキー３は、機械的解錠コードが形成されるキーブレード部１を有し、キーブレード部１の一端には、デザインの自由度を高め、メカニカルキー３をキーケース６に装着した状態において、キーケース６外表面との意匠的な一体感を得る目的で、キーヘッド部２が固定される。メカニカルキー３が妄りにキーケース６から脱落することのないように、メカニカルキー３はキーケース６側の係止部５に係止されてキーケース６との連結状態が保持され、キーケース６からの取り外しは、操作ボタン４の押下操作により係止部５の係止を解除して行われる。
【０００９】
操作ボタン４は、キーケース６側に設けることができ、キーケース６に設けられる係止部５が可動部材として構成される場合には、キーケース６側に配置される操作ボタン４は、係止部５と一体的に構成することができる。
【００１０】
上記操作ボタン４がキーヘッド部２とキーケース６の突き当て境界に配置される本発明において、操作ボタン４を押し下げながらメカニカルキー３を引き出し、あるいは押し出すだけで簡単にメカニカルキー３の取り出し操作ができるために、操作性が良好になる。
【発明の効果】
【００１１】
本発明によれば、収容されたメカニカルキーの抜去、およびメカニカルキーのキーケースへの収納操作性を高めることができる。
【発明を実施するための最良の形態】
【００１２】
図１に電子エントリーシステムに対する操作用携帯器として構成された本発明の実施の形態を示す。携帯器は、電子エントリーシステムにおける錠制御装置と交信するための電子認証用交信手段を内蔵するキーケース６と、キーケース６に格納されるメカニカルキー３とから構成される。
【００１３】
メカニカルキー３は、主として電子認証システムの不具合時等に緊急施解錠操作を行うために用意され、図２に示すように、キーブレード部１の一端にキーヘッド部２を固定して形成される。キーブレード部１には、図外の解錠コード形成凹部が形成され、錠装置のシリンダ錠に挿入した際に当該解錠コード形成凹部がシリンダ錠に予め設定された解錠コードに合致した場合にシリンダ錠を回転操作して錠装置の施解錠操作を行うことができる。
【００１４】
キーヘッド部２は、後述する第１、第２ケース１２、１３との嵌合による強度を考慮して、亜鉛によりダイカスト成型され、その後キーブレード部１に固定される。嵌合による強度が確保できれば、合成樹脂により形成することも可能であり、この場合は一端部にキーリング装着孔２ａを備え、予め成型された後、キーブレード部１に機械的に固定され、あるいはキーブレード部１にアウトサート成型される。このキーヘッド部２は、メカニカルキー３の操作用頭部としての機能に加え、後述する第１、第２ケース１２、１３の連結部を構成する連結体として機能し、キーブレード部１の先端方と両側方に向けて開放されるケース呑み込み部２ｂを備える。ケース呑み込み部２ｂの内壁には、キーブレード部１の長手方向（後述するように、メカニカルキー３はキーブレード部１の長手方向に沿って移動させてキーケース６に収納されるので、以後、この方向を「キー収納方向」という。）に沿って両側方に張り出した突条２ｃが設けられる。この突条２ｃは、ケース呑み込み部２ｂのキーブレード部１が固定される側の壁面にケース呑み込み部２ｂの全長に渡って連続状に形成される。
【００１５】
また、ケース呑み込み部２ｂの突条２ｃ形成壁に対向する壁面には被係止部１４が設けられる。被係止部１４は、突条２ｃ側に向けて突設され、ケース呑み込み部２ｂ開放端側の壁面に、ケース呑み込み部２ｂ開放端に行くに従って漸次突出寸法が小寸となる傾斜面１４ａが形成される。
【００１６】
図１、３に示すように、キーケース６は、上記電子認証用交信手段を含む電子回路が実装されたプリント基板１５が固定される第１ケース１２と、制御ボタン７が配置される第２ケース１３とを積層状に連結して形成される。この実施の形態において、制御ボタン７は、図１（ａ）に示すように、第２ケース１３の上端に配置される、例えば施解錠操作に付随して錠装置との交信を行うボタン、中央に配置される解錠ボタン、下端に配置される施錠ボタンからなる。第１、第２ケース１２、１３には、後述する連結部による連結が解除された場合であっても連結状態を維持するための補助連結部１６が形成される。補助連結部１６は、図３（ｂ）、（ｃ）に示すように、一方に形成される弾性係止脚１６ａを他方の係止凹部１６ｂに弾発的に係止して係止関係を確立するスナップフィット構造により形成される。
【００１７】
後述するように、メカニカルキー３を抜去した状態で露出する連結解除用のスリット１７へのこじり操作により容易に補助連結部１６の連結が解除されるように、第１、第２ケース１２、１３の側縁に配置される弾性係止脚１６ａと係止凹部１６ｂとの接触面は、図３（ｂ）に示すように、離隔方向への力により弾性係止脚１６ａに係止解除方向の分力が発生しやすい斜面で形成される。これに対し、連結部により連結される反対端に位置する補助連結部１６は、連結部における締め付け力により発生する捲り上がり方向の力により妄りに連結解除されないように、図３（ｃ）に示すように、弾性係止脚１６ａと係止凹部１６ｂとの接触面は分割方向線に対して直交する平面により形成される。
【００１８】
１８はシール部材であり、上記第１、第２ケース１２、１３間に介装される。このシール部材１８は制御ボタン７と第２ケース１３との間隙からの水分、塵埃のキーケース６内への侵入を完全に防止するために、開口部を有しない連続状のシート体により形成される。このシール部材１８には、キーケース６内に配置される部品との干渉を防止するための適宜の凹凸が形成される。また、このシール部材１８の周縁には、第１、第２ケース１２、１３により挟まれて積層界面を全周に渡ってシールするシール平面１８ａが形成される。
【００１９】
図４に第１ケース１２を示す。第１ケース１２は所定深さのトレイ形状に形成される。この第１ケース１２の中央部には、上記シール部材１８のシール平面１８ａを挟み付ける隔壁１２ａにより部品収容スペースが区画され、部品収容スペースの外部に、上記メカニカルキー３のキーヘッド部２が嵌合可能な幅でキー収納方向に延びるキー嵌合切欠１２ｃが形成される。
【００２０】
また、第１ケース１２には、メカニカルキー３のキーブレード部１が挿入するブレード収容孔１９が形成される。ブレード収容孔１９は、一端が上記キー嵌合切欠１２ｃに開放され、キー収納方向に長い断面矩形の有底孔として形成される。ブレード収容孔１９は、部品収容スペースの底壁内に形成されて部品収容スペースに対して隔離される。
【００２１】
１２ｄ、１３ｄは連結脚であり、キー嵌合切欠１２ｃの両側壁部に立設される。各連結脚１２ｄには、上記メカニカルキー３の突条２ｃが挿通可能な第１挿通路１２ｅが形成される。第１挿通路１２ｅはキー収納方向に連続し、キー嵌合切欠１２ｃの中央部に向けて開放される凹溝として形成される。
【００２２】
図５に第２ケース１３を示す。第２ケース１３は上記第１ケース１２と同様にキー嵌合切欠１３ｃを有して第１ケース１２とほぼ同一の輪郭形状を有し、第１ケース１２の隔壁１２ａに対峙する隔壁１３ａを備える。また、第２ケース１３のキー嵌合切欠１３ｃには、スリット形成段部１３ｂと連結脚１３ｄが形成される。スリット形成段部１３ｂは、図６（ｂ）に示すように、第２ケース１３の底壁に対向して形成され、スリット形成段部１３ｂと第２ケース１３の底壁によりキー嵌合切欠１２ｃ、１３ｃの開放端側に開口する連結解除用のスリット１７が形成される。スリット形成段部１３ｂと第２ケース１３の底壁との間隔（ｄ）、すなわち、スリット１７の高さは、メカニカルキー３のキーブレード部１を挿入させることができる程度に設定される。また、第２ケース１３のスリット形成段部１３ｂには、第１ケース１２の積層方向とは反対方向に円柱状のばね受け突部１３ｆが突設される。
【００２３】
さらに、第２ケース１３の連結脚１３ｄは、図６（ａ）、（ｃ）に示すように、第１ケース１２と第２ケース１３とを積層した時の干渉を防止するために、第１ケース１２側の連結脚１２ｄ、に対してキー収納方向にずれた位置に設けられる。これら第２ケース１３の連結脚１３ｄには上記第１挿通路１２ｅと同様に凹溝状の第２挿通路１３ｆが形成される。第２挿通路１３ｆは、補助連結部１６により第１、第２ケース１２、１３を積層させた状態で第１挿通路１２ｅの延長線上に位置するように配置され、上記メカニカルキー３の突条２ｃは、キーヘッド部２をキー嵌合切欠１２ｃ、１３ｃに嵌合させる動作に伴って第２挿通路１３ｆを経由して第１挿通路１２ｅに進入する。
【００２４】
突条２ｃの進入に際し、第１、第２挿通路１２ｆ、１３ｆは、各々対向壁面の一方が突条２ｃに摺接する干渉部２０として機能する。図６（ａ）に示すように、第１挿通路１２ｅは第２ケース１３側、第２挿通路１３ｆは、第１ケース１２側の壁面が干渉部２０となるように設定される。
【００２５】
したがってこの実施の形態において、図６（ｃ）に示すように、補助連結部１６により連結されたキーケース６にメカニカルキー３のキーヘッド部２をキー嵌合切欠１２ｃ、１３ｃに嵌合させると、図６（ａ）に示すように、キーブレード部１は第１ケース１２のブレード収容孔１９に挿入されて収容される。なお、理解を容易にするように、補助連結部１６により積層方向に連結された第１、第２ケース１２、１３は、図６（ａ）において分割状態で図示されている。
【００２６】
キーヘッド部２のキー嵌合切欠１２ｃ、１３ｃへの嵌合操作に伴って、キーヘッド部２の突条２ｃは第１、第２挿通路１２ｆ、１３ｆを通過し、通過途上において各々の干渉部２０に摺接する。干渉部２０の突条２ｃへの摺接により、第１挿通路１２ｅの干渉部２０には第２ケース１３側への押圧力が、第２挿通路１３ｆの干渉部２０には第１ケース１２側への押圧力が発生するために、第１、第２ケース１２、１３は互いに接近する方向に移動する。
【００２７】
干渉部２０の突条２ｃによる排斥量、すなわち、第１、第２ケース１２、１３の移動量は、上述したシール部材１８の撓み量をもとに決定され、メカニカルキー３を収納した状態において、シール部材１８のシール平面１８ａは第１、第２ケース１２、１３の隔壁１２ａに挟み付けられて撓み、十分なシール性能が確保するためのシール面圧が確保される。
【００２８】
また、この状態からメカニカルキー３を抜去しても、シール部材１８のシール面圧は低下するものの、第１、第２ケース１２、１３は補助連結部１６により連結状態が維持される。例えば電池交換等のために第１、第２ケース１２、１３を分割する際には、図６（ｂ）に示すように、連結解除用のスリット１７に、抜去したメカニカルキー３のキーブレード部１を挿入してこじると、簡単に第１、第２ケース１２、１３を分割することができる。
【００２９】
さらに、第２ケース１３には上記メカニカルキー３の収納状態の保持、保持解除を行うための操作ボタン４が装着される。図７に示すように、操作ボタン４は棒状の操作部８と、操作部８の両端下方から両側に延設される取付部１１とを有し、図７（ｆ）、図８（ａ）に示すように、取付部１１を第２ケース１３に凹設されたボタン装着凹部９に嵌合し、操作部８を第２ケース１３の表面に露出させて第２ケース１３に装着される。第２ケース１３への装着状態において、操作ボタン４の操作部８は、図７（ｅ）に示すように、第２ケース１３のキー嵌合切欠１３ｃの奥行き方向終端壁に沿って配置される。
【００３０】
また、操作部８には、第２ケース１３に装着した状態で第２ケース１３のばね受け突部１３ｆに対向する円柱状のばね受け突部４ｆを備えたばね受け片４ａが突設される。図８（ｂ）に示すように、第２ケース１３と操作ボタン４のばね受け片４ａとの間には、第２ケース１３のばね受け突部１３ｆと操作ボタン４のばね受け突部４ｆに中心部を支えられるようにして圧縮コイルばね２１が装着され、操作ボタン４を後述する上部ストローク終端位置側に付勢する。
【００３１】
上記操作ボタン４の移動ストロークを図８（ａ）により説明する。操作ボタン４は、第１、第２ケース１２、１３の連結操作方向に沿って移動し、図８（ａ）に示される２個の操作ボタン４は、ストローク方向の第２ケース１３に対する相対位置のみを示す。図８（ａ）において上方に示される操作ボタン４は、上部ストローク終端位置を示し、当該終端位置が、取付部１１の上面がボタン装着凹部９の天井壁に当接して決定されることを示す。これに対し、図８（ａ）において下方に示される操作ボタン４は、下部ストローク終端位置を示し、ばね受け突部１３ｆが第２ケース１３側のストローク規制部１０として機能するばね受け突部１３ｆに当接して下部ストローク終端位置が決定されることを示す。
【００３２】
また、操作ボタン４には係止部５が形成される。係止部５は、上記メカニカルキー３のキーヘッド部２に形成される被係止部１４に対応して２個形成され、各々取付部１１基端に固定される。この係止部５は、図７（ｃ）に示すように、第２ケース１３に装着した状態で収納されるメカニカルキー３の被係止部１４に形成される傾斜面１４ａとほぼ平行な傾斜面を先端面に有しされたて断面直角三角形状に形成される。
【００３３】
したがってこの実施の形態において、メカニカルキー３を収納すると、まず、キーヘッド部２の被係止部１４の斜面が操作ボタン４の斜面に当接し、さらにメカニカルキー３を押し込むと、操作ボタン４は圧縮コイルばね２１の反力に抗して一旦下部ストローク終端位置側に移動した後、図８（ｃ）に示すように、係止部５がキーヘッド部２の被係止部１４に係止し、以後、メカニカルキー３の抜去を規制する。
【００３４】
この状態から図８（ｄ）に示すように、操作ボタン４の操作部８を押下すると、係止部５と被係止部１４との係止が解除され、この状態でメカニカルキー３を抜去することができる。図１（ａ）に示すように、メカニカルキー３を収納した状態で、操作ボタン４の操作部８は、キーケース６とメカニカルキー３のキーヘッド部２との境界に位置しているために、抜去操作は、例えば、キーケース６側を握った状態で親指で操作ボタン４を押し下げながらキーヘッド部２を押し出す操作により、あるいは片方の手でキーケース６を握った状態で、他方の手の指で操作ボタン４とキーヘッド部２を挟み付け、そのまま引き抜くことにより簡単に行うことができる。この際、操作ボタン４の押し下げとともに操作ボタン４に隣接する制御ボタン７を押し下げれば、操作ボタン４の操作がしやすくなる。
【００３５】
図９以下にキーヘッド部２の変形例を示す。なお、以下の説明において、上述した実施の形態と実質的に同一の構成要素は図中に同一符号を付して説明を省略する。
【００３６】
上述した実施の形態において、第１、第２ケース１２、１３の締め付けは、突条２ｃを第１、第２挿通路１２ｆ、１３ｆに通過させることにより行われていたが、この変形例において、第１、第２ケース１２、１３の締め付けは、第１、第２ケース１２、１３に形成した被締め付け突部１２ｇ、１３ｇをキーヘッド部２により挟み付けて行われる。
【００３７】
すなわち、図９（ａ）に示すように、メカニカルキー３のキーヘッド部２の両側壁部には、キー装着方向と両側に開放された締め付け面形成凹部２ｄが形成され、第１、第２ケース１２、１３の積層方向で対向する壁面が締め付け面とされる。一方、図１０に示すように、第１、第２ケース１２、１３のキー嵌合切欠１２ｃ、１３ｃの内側壁部には、第１、第２ケース１２、１３の積層方向で対向する被締め付け突部１２ｇ、１３ｇが各々突設され、これら被締め付け突部１２ｇ、１３ｇの背向壁面が被締め付け面とされる。
【００３８】
したがってこの実施の形態において、図９（ａ）に示すように、連結手段により連結されたキーケース６にメカニカルキー３を収納すると、キーヘッド部２は締め付け面により被締め付け面を押し付けながらキー嵌合切欠１２ｃ、１３ｃに嵌合する。嵌合状態において第１、第２ケース１２、１３は相互に近接する方向に押し付けられ、シール部材１８に好適なシール面圧を与える。
【００３９】
また、図９に示すように、キーヘッド部２の締め付け面形成凹部２ｄにはキー装着方向に開放する被係止部形成凹部２ｅが形成され、被係止部形成凹部２ｅの壁面を利用して被係止部１４が形成される。これに対し、第２ケース１３には、図外の圧縮スプリングにより図９（ｂ）において矢印方向に付勢された操作ボタン４が装着されており、キーヘッド部２がキー嵌合切欠１２ｃ、１３ｃに嵌合すると、操作ボタン４の係止部５が被係止部１４に係止してメカニカルキー３の脱離を規制する。
【００４０】
さらに、この状態から操作ボタン４を押下すると、図９（ｂ）に示すように、係止部５の被係止部１４との係止が解除され、メカニカルキー３を抜去することができる。
【図面の簡単な説明】
【００４１】
【図１】本発明を示す図で、（ａ）は平面図、（ｂ）はメカニカルキー収納途上の（ａ）の１Ｂ-１Ｂ線断面図である。
【図２】メカニカルキーを示す図で、（ａ）はキーヘッド部の斜視図、（ｂ）は（ａ）の２Ｂ方向矢視図、（ｃ）は（ｂ）の２Ｃ方向矢視図、（ｄ）は（ｂ）の２Ｄ-２Ｄ線断面図である。
【図３】キーケースを示す図で、（ａ）は図１（ａ）の３Ａ-３Ａ線断面図、（ｂ）は図３（ａ）の３Ｂ部拡大図、（ｃ）は図１（ｂ）の３Ｃ部拡大図、（ｄ）はシール部材の斜視図である。
【図４】第１ケースを示す図で、（ａ）は図３（ａ）の４Ａ方向から見た図、（ｂ）は図４（ａ）の４Ｂ線断面図、（ｃ）は図４（ａ）の４Ｃ方向矢視図、（ｄ）は図４（ｂ）の４Ｄ方向から見た斜視図、（ｅ）は図４（ｂ）の４Ｅ方向から見た斜視図である。
【図５】第２ケースを示す図で、（ａ）は図３（ａ）の５Ａ方向から見た図、（ｂ）は図５（ａ）の５Ｂ線断面図、（ｃ）は図５（ａ）の５Ｃ方向矢視図、（ｄ）は図５（ｂ）の５Ｄ方向から見た斜視図、（ｅ）は図５（ｂ）の５Ｅ方向から見た斜視図である。
【図６】キーケースの連結状態を示す図で、（ａ）は連結部の作用を示す説明図、（ｂ）はメカニカルキー装着前の（ａ）の６Ｂ方向矢視図、（ｃ）は（ａ）の６Ｃ方向矢視図である。
【図７】操作ボタンを示す図で、（ａ）は斜視図、（ｂ）は（ａ）の７Ｂ方向矢視図、（ｃ）は（ｂ）の７Ｃ-７Ｃ線断面図、（ｄ）は（ａ）の７Ｄ方向矢視図、（ｅ）は第２ケースへの装着状態を示す（ａ）の７Ｂ方向から見た図、（ｆ）は第２ケースへの装着状態を示す（ａ）の７Ｄ方向から見た図である。
【図８】操作ボタンの動作を示す図で、（ａ）はストローク終端位置を説明する図７（ｆ）の８Ａ-８Ａ線断面図、（ｂ）は図７（ｆ）の８Ｂ-８Ｂ線断面図、（ｃ）は操作ボタンによりメカニカルキーを係止した状態を示す図１（ｂ）に対応する図、（ｄ）は操作ボタンの係止を解除した状態を示す図８（ｃ）に対応する図である。
【図９】ケース装着体の変形例を示す図で、（ａ）はキーケースへの装着工程を示す図、（ｂ）は操作ボタンによるキーケースへの係止状態を示す図、（ｃ）は操作ボタンの係止を解除した状態を示す図である。
【図１０】ケース構成体を示す図で、（ａ）は第１ケースの図９（ａ）における１０Ａ方向矢視図、（ｂ）は第２ケースの図９（ａ）における１０Ｂ方向矢視図である。
【符号の説明】
【００４２】
１        キーブレード部
２        キーヘッド部
３        メカニカルキー
４        操作ボタン
５        係止部
６        キーケース
７        制御ボタン
８        操作部
９        ボタン装着凹部
１０      ストローク規制部
１１      取付部
【図１】
0004763481.tif 000002
【図２】
0004763481.tif 000003
【図３】
0004763481.tif 000004
【図４】
0004763481.tif 000005
【図５】
0004763481.tif 000006
【図６】
0004763481.tif 000007
【図７】
0004763481.tif 000008
【図８】
0004763481.tif 000009
【図９】
0004763481.tif 000010
【図１０】
0004763481.tif 000011